(57)【要約】 【課題】オフライン方式において、後処理装置側で後処理情報の設定操作を行うことなく、画像形成装置やパソコン側で設定された後処理情報に基づいて後処理を行えるようにすること。【解決手段】画像形成装置１の制御部は、後処理装置５とオフラインであると判定した場合、画像データに基づいた画像形成を行うと共に、操作入力キー３１０等の操作やパソコン９においてユーザに設定された後処理情報を２次元コードに変換して記録紙上に画像形成する。後処理装置５の制御部は、大容量トレイユニット７４０に収納された記録紙束Ｐの所定エリアをコード読取部５５で読み取って、その読み取った画像内に２次元コードが存在する場合は、当該２次元コードをデコードして後処理情報を取得する。そして、取得した後処理情報に基づいて記録紙束Ｐに後処理を施す。【選択図】図１
2007127774.tif 000002
【特許請求の範囲】
【請求項１】
画像データに基づく画像形成に関する画像形成情報と、当該画像形成後に行う後処理に関する後処理情報とを受け付ける受付手段と、
記録紙上に画像形成を行う画像形成手段と、
前記受付手段によって受け付けられた画像形成情報に応じて前記画像形成手段に前記画像データに基づいた画像形成を実行させると共に、前記受け付けられた後処理情報を機械読取可能な情報に変換し、当該機械読取可能な情報を記録紙に保持させる制御手段と、
を備えることを特徴とする画像形成装置。
【請求項２】
前記画像データに基づいた画像形成が行われた記録紙に後処理を行うインライン後処理手段が接続され、
前記制御手段は、
前記インライン後処理手段によって後処理を行うか否かを判定し、当該後処理を行わないと判定した場合に、前記受け付けられた後処理情報を機械読取可能な情報に変換し、当該機械読取可能な情報を記録紙に保持させることを特徴とする請求項１に記載の画像形成装置。
【請求項３】
前記機械読取可能な情報は、符号化情報であり、
前記制御手段は、前記受け付けられた後処理情報を符号化情報に変換し、当該符号化情報の画像形成を前記画像形成手段に実行させることを特徴とする請求項１又は２に記載の画像形成装置。
【請求項４】
前記画像形成する記録紙には、無線ＩＣタグが設けられ、
前記制御手段は、前記変換された機械読取可能な情報を、前記記録紙上の無線ＩＣタグに記憶させることを特徴とする請求項１〜３の何れか一項に記載の画像形成装置。
【請求項５】
前記制御手段は、
前記画像形成情報に応じて画像形成を行った記録紙とは異なる記録紙に前記機械読取可能な情報を保持させることを特徴とする請求項１〜４の何れか一項に記載の画像形成装置。
【請求項６】
前記受付手段は、前記後処理情報をＪＤＦ（Job Definition Format）で受け付けることを特徴とする請求項１〜５の何れか一項に記載の画像形成装置。
【請求項７】
給紙された記録紙に保持された機械読取可能な情報を後処理情報に変換する変換手段と、
記録紙に後処理を施す後処理手段と、
前記変換手段により変換された後処理情報に応じて前記後処理手段に前記給紙された記録紙への後処理を実行させる制御手段と、
を備えることを特徴とする後処理装置。
【請求項８】
給紙された記録紙に保持された機械読取可能な情報を検出する検出手段を更に備え、
前記変換手段は、前記検出手段により検出された機械読取可能な情報を読み取って、後処理情報に変換することを特徴とする請求項７に記載の後処理装置。
【請求項９】
前記変換手段は、所定の記録紙に保持された機械読取可能な情報を後処理情報に変換し、
前記制御手段は、前記機械読取可能な情報が保持された記録紙に続く記録紙に、前記後処理情報に基づいた後処理を前記後処理手段に実行させることを特徴とする請求項７又は８に記載の後処理装置。
【請求項１０】
前記変換手段により変換された後処理情報を表示する表示手段を更に備えることを特徴とする請求項７〜９の何れか一項に記載の後処理装置。
【請求項１１】
前記変換手段は、前記記録紙に保持された機械読取可能な情報をＪＤＦに変換することを特徴とする請求項７〜１０の何れか一項に記載の後処理装置。
【請求項１２】
記録紙上に画像を形成する画像形成手段を制御するコンピュータに、
画像データに基づく画像形成に関する画像形成情報と、当該画像形成後に行う後処理に関する後処理情報とを受け付ける受付機能と、
前記受付手段によって受け付けられた画像形成情報に応じて前記画像形成手段に前記画像データに基づいた画像形成を実行させると共に、前記受け付けられた後処理情報を機械読取可能な情報に変換し、当該機械読取可能な情報を記録紙に保持させる制御機能と、
を実現させるためのプログラム。
【請求項１３】
記録紙に後処理を施す後処理手段を制御するコンピュータに、
給紙された記録紙に保持された機械読取可能な情報を後処理情報に変換する変換機能と、
前記変換機能により変換された後処理情報に応じて、前記後処理手段に前記給紙された記録紙への後処理を実行させる制御機能と、
を実現させるためのプログラム。
【発明の詳細な説明】
【技術分野】
【０００１】
本発明は、記録紙上に画像形成を行う画像形成装置と、画像形成後の記録紙に後処理を行う後処理装置と、画像形成装置及び後処理装置それぞれを制御するプログラムとに関する。
【背景技術】
【０００２】
パーソナルコンピュータ（以下、「パソコン」と略す。）等の外部機器から送信された画像データや、スキャナ等で読み取った原稿の画像データに基づいて記録紙上に画像形成を行う（以下、適宜「印刷する」という。）画像形成装置と、印刷後の記録紙に、ステイプルやパンチング、紙折り、断裁等の後処理を施す後処理装置とが広く普及している。
【０００３】
この画像形成装置及び後処理装置は、通信接続可能且つ画像形成装置から排出される記録紙を直接給紙できるようにシステム構成されたインライン方式のものと、それぞれが独立して構成されたオフライン方式のものとがある。
【０００４】
オフライン方式の後処理装置は、この装置の操作部でユーザにより設定された後処理に関する情報である後処理情報に基づいて後処理を施すのに対し、インライン方式の後処理装置は、画像形成装置やパソコン側で設定された後処理情報を画像形成装置から受信し、当該後処理情報に基づいて後処理を施す（以下、印刷や後処理等の一連の印刷工程をジョブという。）。
【０００５】
インライン方式の画像形成装置及び後処理装置の一例としては、次のようなものが知られている。即ち、画像形成装置の操作表示部におけるユーザ操作や、印刷物を作成したパソコンの情報に基づいて印刷物処理情報（後処理情報）を生成・登録し、後処理装置としての印刷物処理装置が、インサータに給紙された用紙に印刷物処理情報に従った仕分けや後処理を行うシステムが知られている。また、このシステムは、プリンタで打ち出したバーコードを画像形成装置のスキャナで読み取ることにより印刷物処理情報を読み出すこともできる（特許文献１参照）。
【０００６】
また、画像形成装置及び後処理が行うジョブは、例えば、ＪＤＦ（Job Definition Format）等のジョブチケットというデータで管理される。このジョブチケットには、印刷対象の画像データが生成された装置や処理の順番等の多くの情報を含ませることが可能であり、ユーザが、画像形成装置やパソコン側でジョブの設定をまとめて行うと、このジョブを実行するためのジョブチケットが作成される。そして、インライン方式においては、このジョブチケットが後処理装置にデータ転送され、当該ジョブチケットに基づいて後処理が行われる。
【特許文献１】特開２００３−１５６８９３号公報
【発明の開示】
【発明が解決しようとする課題】
【０００７】
しかし、インライン方式において、例えば、後処理装置が画像形成装置の処理スピードよりも低い場合、画像形成装置の処理スピードを後処理装置に合わせる必要が生ずる。このように、画像形成装置と後処理装置との処理スピードに差によって、システム全体の処理スピードが低下してしまう可能性がある。また、一般に、後処理装置は、ステイプルやパンチ、折り等の機械的工程を有するため、トナーの熱圧着等の化学的工程が主な画像形成装置よりもジャムの発生頻度が高くなる。このため、インライン方式での画像形成及び後処理を行う際に、後処理装置にジャムが発生するとジョブ全体が停止してしまい、後処理装置の故障が後処理装置の工程にまで影響を与えてしまう。
【０００８】
このように、インライン方式では、画像形成装置と後処理装置との装置性能の違いにより全体としての処理効率が低下してしまう可能性があるため、オフライン方式の方が、装置間の処理スピードや故障率の影響を受けずに、画像形成と後処理とを独立して実行することで、全体としての処理効率を向上させることができることがある。
【０００９】
ところが、オフライン方式の場合は、後処理装置の操作部で後処理情報の設定を行わなければならず、画像形成装置における設定操作とは別にその操作を行わなければならなくなる。通常、画像形成装置の設定時に、記録紙の後処理装置の設定も同時に行った方が、ユーザは、印刷物の完成状態が想定しやすいため、画像形成装置側で一括して設定できるほうが望ましい。
【００１０】
しかし、オフライン方式の場合は、画像形成装置と後処理装置の設定を別々に行わなければならないため、画像形成装置の設定時に想定した後処理の方法を、後処理装置の設定時に忘れてしまう場合がある。このため、現実には画像形成装置の設定時に考えた後処理の方法を、メモ等に記録しておくことが必要となるが、後処理の方法は、ステイプルやパンチング、紙折り、断裁といったように多様化しているため、後処理情報の設定操作が煩雑になると共に、入力ミスが起こりやすくなってしまった。
【００１１】
また、特許文献１のプリントシステムでは、後処理情報である印刷物処理情報をバーコードに含めて印刷し、そのバーコードを画像形成装置のスキャナで読み取って、印刷物処理情報を読み出すことができるため、印刷後においても後処理情報の設定操作を行わなくてもよくなる。しかし、画像形成装置と後処理装置間のインターフェイスの故障等により通信不良が生じた場合、後処理装置はオフライン方式となってしまい、画像形成装置で読み取られた印刷物処理情報を受信できないため、結局は、後処理装置側に操作部を設ける等にして、後処理情報を別途設定しなければならなかった。
【００１２】
本発明は、上述した課題に鑑みて為されたものであり、その目的とするところは、オフライン方式において、後処理装置側で後処理情報の設定操作を行うことなく、画像形成装置やパソコン側で設定された後処理情報に基づいて後処理を行えるようにすることである。
【課題を解決するための手段】
【００１３】
以上の課題を解決するために、請求項１に記載の画像処理装置は、
画像データに基づく画像形成に関する画像形成情報と、当該画像形成後に行う後処理に関する後処理情報とを受け付ける受付手段と、
記録紙上に画像形成を行う画像形成手段と、
前記受付手段によって受け付けられた画像形成情報に応じて前記画像形成手段に前記画像データに基づいた画像形成を実行させると共に、前記受け付けられた後処理情報を機械読取可能な情報に変換し、当該機械読取可能な情報を記録紙に保持させる制御手段と、を備えることを特徴としている。
【００１４】
請求項２に記載の発明は、請求項１に記載の発明において、
前記画像データに基づいた画像形成が行われた記録紙に後処理を行うインライン後処理手段が接続され、
前記制御手段は、前記インライン後処理手段によって後処理を行うか否かを判定し、当該後処理を行わないと判定した場合に、前記受け付けられた後処理情報を機械読取可能な情報に変換し、当該機械読取可能な情報を記録紙に保持させることを特徴としている。
【００１５】
請求項３に記載の発明は、請求項１又は２に記載の発明において、
前記機械読取可能な情報は、符号化情報であり、
前記制御手段は、前記受け付けられた後処理情報を符号化情報に変換し、当該符号化情報の画像形成を前記画像形成手段に実行させることを特徴としている。
【００１６】
請求項４に記載の発明は、請求項１〜３の何れか一項に記載の発明において、
前記画像形成する記録紙には、無線ＩＣタグが設けられ、
前記制御手段は、前記受け付けられた後処理情報を、前記記録紙上の無線ＩＣタグに記憶させることを特徴としている。
【００１７】
請求項５に記載の発明は、請求項１〜４の何れか一項に記載の発明において、
前記制御手段は、前記画像形成情報に応じて画像形成を行った記録紙とは異なる記録紙に前記機械読取可能な情報を保持させることを特徴としている。
【００１８】
請求項６に記載の発明は、請求項１〜５の何れか一項に記載の発明において、
前記受付手段は、前記後処理情報をＪＤＦ（Job Definition Format）で受け付けることを特徴としている。
【００１９】
請求項７に記載の後処理装置は、
給紙された記録紙に保持された機械読取可能な情報を後処理情報に変換する変換手段と、
記録紙に後処理を施す後処理手段と、
前記変換手段により変換された後処理情報に応じて、前記後処理手段に前記給紙された記録紙への後処理を実行させる制御手段と、
を備えることを特徴としている。
【００２０】
請求項８に記載の発明は、請求項７に記載の発明において、
給紙された記録紙に保持された機械読取可能な情報を検出する検出手段を更に備え、
前記変換手段は、前記検出手段により検出された機械読取可能な情報を読み取って、後処理情報に変換することを特徴としている。
【００２１】
請求項９に記載の発明は、請求項７又は８に記載の発明において、
前記変換手段は、所定の記録紙に保持された機械読取可能な情報を後処理情報に変換し、
前記制御手段は、前記機械読取可能な情報が保持された記録紙に続く記録紙に、前記後処理情報に基づいた後処理を前記後処理手段に実行させることを特徴としている。
【００２２】
請求項１０に記載の発明は、請求項７〜９の何れか一項に記載の発明において、
前記変換手段により変換された後処理情報を表示する表示手段を更に備えることを特徴としている。
【００２３】
請求項１１に記載の発明は、請求項７〜１０の何れか一項に記載の発明において、
前記変換手段は、前記記録紙に保持された機械読取可能な情報をＪＤＦに変換することを特徴としている。
【００２４】
請求項１２に記載のプログラムは、
記録紙上に画像を形成する画像形成手段を制御するコンピュータに、
画像データに基づく画像形成に関する画像形成情報と、当該画像形成後に行う後処理に関する後処理情報とを受け付ける受付機能と、
前記受付手段によって受け付けられた画像形成情報に応じて前記画像形成手段に前記画像データに基づいた画像形成を実行させると共に、前記受け付けられた後処理情報を機械読取可能な情報に変換し、当該機械読取可能な情報を記録紙に保持させる制御機能と、を実現させることを特徴としている。
【００２５】
請求項１３に記載のプログラムは、
記録紙に後処理を施す後処理手段を制御するコンピュータに、
給紙された記録紙に保持された機械読取可能な情報を後処理情報に変換する変換機能と、
前記変換機能により変換された後処理情報に応じて、前記後処理手段に前記給紙された記録紙への後処理を実行させる制御機能と、
を実現させることを特徴としている。
【発明の効果】
【００２６】
請求項１及び１２に記載の発明によれば、画像データに基づく記録紙上への画像形成を画像形成情報に応じて実行すると共に、後処理情報を機械読取可能な情報に変換して記録紙に保持させるため、画像形成に際して受け付けた後処理情報を、記録紙を伝達媒体として後処理装置に受け渡すことができる。
【００２７】
請求項７及び１３に記載の発明によれば、給紙された記録紙に保持された機械読取可能な情報を後処理情報に変換し、後処理手段に給紙された記録紙に当該後処理情報に応じた後処理を実行するため、後処理情報の設定を行わなくてもよくなる。
【００２８】
このように、画像形成装置側で受け付けられた後処理情報を機械読取可能な情報で記録紙に保持させ、後処理装置側で当該記録紙から後処理情報を取得して後処理を実行する。従って、オフライン方式の画像形成装置及び後処理装置において、後処理装置側で後処理情報の設定操作を行うことなく後処理を行えるようになる。
【００２９】
請求項２に記載の発明によれば、請求項１に記載の発明と同様の効果が得られるのは無論のこと、インライン後処理手段によって後処理を行わないと判定した場合に、後処理情報を機械読取可能な情報に変換して、記録紙に保持させる。このため、画像形成終了後に後処理を行う場合であっても、画像形成装置で受け付けた後処理情報を画像形成した記録紙と共に保有させておくことができる。
【００３０】
請求項３に記載の発明によれば、請求項１又は２に記載の発明と同様の効果が得られるのは無論こと、受け付けた後処理情報を符号化情報に変換して、当該符号化情報を記録し上に画像形成するため、記録紙に後処理情報が保持されていることを視認できる。
【００３１】
請求項４に記載の発明によれば、請求項１〜３の何れか一項に記載の発明と同様の効果が得られるのは無論こと、記録紙に設けられた無線ＩＣタグに機械読取可能な情報を記憶するため、データ量の多い後処理情報を記録紙に保持させることができる。
【００３２】
請求項５に記載の発明によれば、請求項１〜４の何れか一項に記載の発明と同様の効果が得られるのは無論のこと、画像データに基づいた画像形成を行う記録紙とは異なる記録紙に機械読取可能な情報を保持させる。
【００３３】
請求項６に記載の発明によれば、請求項１〜５の何れか一項に記載の発明と同様の効果が得られるのは無論のこと、後処理情報をＪＤＦで受け付けるため、当該後処理情報の他機との受け渡しが汎用的になる。
【００３４】
請求項８に記載の発明によれば、請求項７に記載の発明と同様の効果が得られるのは無論のこと、機械読取可能な情報を記録紙から検出した場合に、その機械読取可能な情報を読み取って後処理情報に変換するため、給紙された全ての記録紙に対して変換手段が後処理情報への変換を行わなくてもよい。
【００３５】
請求項９に記載の発明によれば、請求項７又は８に記載の発明と同様の効果が得られるのは無論のこと、所定の記録紙に保持された機械読取情報を後処理情報に変換して、その記録紙に続く記録紙に後処理を実行する。このため、給紙された記録紙のうち先頭の記録紙から後処理情報を読み取って、次の記録紙から後処理情報に応じた後処理を実行するといったように、後処理情報を読み取る工程と、後処理を実行する工程とを分けて行うことができる。
【００３６】
請求項１０に記載の発明によれば、請求項７〜９の何れか一項に記載の発明と同様の効果が得られるのは無論のこと、記録紙に保持された後処理情報が表示されるため、ユーザは、どのような後処理を実行するかを確認することができる。
【００３７】
請求項１１に記載の発明によれば、請求項７〜１０の何れか一項に記載の発明と同様の効果が得られるのは無論のこと、記録紙の保持された機械読取可能な情報をＪＤＦに変換するため、機械読取可能な情報に変換された後処理情報の他機との受け渡しが汎用的になる。
【発明を実施するための最良の形態】
【００３８】
以下、本発明の画像形成装置と後処理装置との実施形態について図１〜１１を参照して詳細に説明する。
【００３９】
〔画像形成装置及び後処理装置の概略〕
先ず、図１に示す画像形成装置１、後処理装置５及びパソコン９の概略構成図を用いて、画像形成装置１及び後処理装置５それぞれの概要について説明する。
【００４０】
画像形成装置１は、プリンタやＦＡＸ、複写機等の記録紙上に画像形成する装置であり、ディスプレイ３００、操作入力キー３１０、載置された原稿を後述するスキャナ部１７のプラテンガラス上に給送するＡＤＦ部３２０、様々なサイズの記録紙を収納して後述するプリンタ部１９へ当該記録紙を供給する給紙トレイ３３０、印刷後の記録紙束Ｐを排出する排紙トレイ３４０とを備えて構成される。
【００４１】
ディスプレイ３００は、ＣＲＴ（Cathode-ray Tube）やＬＣＤ（Liquid Crystal Display）等によって構成され、操作入力キー３１０等の押下に応じて各種表示画面や処理状態等を表示する。また、ディスプレイ３００にはタッチパネルが一体的に形成されており、ポインティングデバイスや指先等による当接操作を検知できる。
【００４２】
操作入力キー３１０、カーソルキーやテンキー、スタートキー、リセットキー等のキー群である。ユーザは、この操作入力キー３１０を押下したり、ディスプレイ３００上を当接したりすることで、印刷する部数や拡縮、両面設定等の印刷時の設定と、ステイプルやパンチ等の後処理時の設定を行って画像形成装置１の操作を行う。
【００４３】
図２は、後処理時の設定を行う後処理設定画面３５０の表示例である。後処理設定画面３５０には、現在の処理状態が表示される第１領域３５１と、両面とじ方向を設定する第２領域３５２と、ステイプルの位置を設定する第３領域３５３と、グループ化や表紙の挿入、ソート、パンチング、中綴じ、Ｚ折り、中折り、三つ折り等の後処理を設定する第４領域３５４と、キャンセルボタン３７４及びＯＫボタン３７５とを表示する第５領域３５５とに区画される。
【００４４】
第２領域３５２には、左右綴じボタン３６０と、上綴じボタン３６１とが表示され、第３領域３５３には、第１〜第４ステイプルボタン３６２〜３６５が表示される。また、第４領域３５４には、グループボタン３６６、ソートボタン３６７、中綴じボタン３６８、中折りボタン３６９、カバーシートボタン３７０、パンチボタン３７１、Ｚ折りボタン３７２及び三つ折りボタン３７３が表示される。
【００４５】
ユーザは、ディスプレイ３００に後処理設定画面３５０を表示させて、これらの各種ボタンを選択（例えば、指による当接操作）することで、所望の後処理の方法を設定し、ＯＫボタン３７５でその設定を確定する。そして、操作入力キー３１０のスタートキーを押下すると、ＡＤＦ部３２０に載置された原稿の画像がスキャナ部１７で読み込まれ、給紙トレイ３３０の何れかから記録紙が搬送されて、その記録紙に原稿の画像が印刷されて排紙トレイ３４０に排出される。
【００４６】
また、画像形成装置１は、外部機器であるパソコン９と通信回線網Ｎを介して接続されて構成され、当該パソコン９からの指示に基づいて画像形成を開始する。ユーザは、パソコン９で作成した画像データの印刷指示を行う際に、当該パソコン９側で後処理の方法を設定することができる。
【００４７】
図３は、パソコン９に表示される印刷設定画面９００の一例である。図３に示すように、印刷設定画面９００は、用紙設定領域９１０、出力設定領域９２０、後処理設定領域９３０及び出力イメージ表示領域９４０とを有して構成される。
【００４８】
用紙設定領域９１０は、用紙方向９１１、原稿サイズ９１２、出力用紙のサイズ９１３、ズーム率９１４及び給紙トレイ３３０等を設定する領域である。出力設定領域９２０は、部数９２１、排紙トレイ９２２、フェイスダウンやフェイスアップ等の排紙モード９２３、ソート９２４及び仕分け９２５等を設定する領域である。出力イメージ表示領域９４０は、用紙設定領域９１０、出力設定領域９２０及び後処理設定領域９３０において設定された設定内容で印刷及び後処理を行った場合のイメージ画像を表示する領域である。
【００４９】
後処理設定領域９３０は、紙折り９３１、ステイプル９３２及びパンチ９３３等の後処理の方法を設定する領域である。ユーザは、紙折り９３１、ステイプル９３２及びパンチ９３３のそれぞれのチェックをＯＮ／ＯＦＦすることで、各後処理を実行するか否かを設定し、チェックをＯＮにした場合には、その詳細な設定を行う。
【００５０】
具体的に、例えば、ステイプル９３２のチェックをＯＮにした場合には、「１ヵ所左」、「１ヵ所右」、「２ヵ所左」及び「２ヵ所上」の何れかから選択する。図３は、ステイプル９３２及びパンチ９３３のチェックをＯＮにし、それぞれを「一ヵ所左」及び「３ヵ所左」に設定した場合の印刷設定画面９００の一例である。
【００５１】
このとき、出力イメージ表示領域９４０には、左上の端部に１つのステイプルと、左側に３つのパンチ穴が開けられた印刷物のイメージ画像が表示される。ユーザは、印刷設定画面９００で画像形成時及び後処理時の設定を行った後、ＯＫボタン９５０を例えばマウスでクリックすることで確定し、印刷を開始させる。
【００５２】
しかし、画像形成装置１が、後処理装置５と通信不良が発生したり、後処理装置５と元々連結・接続されていなかったりしてオフラインになった際に、後処理の方法がユーザにより設定された場合、その後処理を行わずに排出することとなる。そこで、オフライン時にユーザに設定された後処理の方法を機械読取可能な情報に変換して記録紙上に画像形成することで当該記録紙に保持させ、画像データに基づいて画像形成した記録紙と共に排出する。ここで、機械読取可能な情報とは、後処理装置５が例えば光学的及び磁気的に読み取ることのできる情報であり、本実施形態において画像形成装置１は後処理情報１５を２次元コードに変換する。
【００５３】
後処理装置５は、ディスプレイ７００と、操作入力キー７１０と、後処理を行う記録紙を挿入するインサータ７２０と、後処理を行う記録紙束Ｐを収納する大容量トレイユニット７４０と、後処理を施した記録紙を排出する排紙トレイ７３０とを備えて構成される。ディスプレイ７００は、画像形成装置１と同様にタッチパネルが一体的に形成され、各種表示画面や処理状態を表示する。
【００５４】
操作入力キー７１０は、カーソルキーやテンキー、スタートキー、リセットキー等のキー群である。ユーザは、この操作入力キー７１０を押下したり、ディスプレイ７００上を当接したりすることで、ステイプルやパンチ等の後処理方法の設定を行い、後処理の実行の開始指示を入力する。そして、後処理装置５は、大容量トレイユニット７４０に収納された記録紙束Ｐのうち、ユーザに設定された枚数の記録紙にステイプルやパンチ等の後処理を順次施していく。
【００５５】
また、本実施形態において後処理装置５は、例えば、ＣＣＤ（Charge Coupled Device）等のコード読取部５５を有して構成される。後処理装置５は、大容量トレイユニット７４０に収納された記録紙束Ｐの所定エリアをコード読取部５５で露光・走査して読み取った画像中に含まれる２次元コードを変換（デコード）して、後述する後処理情報５４を取得する。
【００５６】
そして、その後処理情報５４に基づいて、続く記録紙に後処理を施すのである。このため、画像形成装置１から排出された記録紙をそのまま後処理装置５にセットするだけで、画像形成装置１やパソコン９側で設定された方法で後処理が施されるため、ユーザは、当該後処理の方法を後処理装置５でわざわざ設定しなくてもよくなる。
【００５７】
〔画像形成装置の構成〕
次に、図４を用いて、画像形成装置１の機能構成について説明する。図４は、画像形成装置１の機能構成の一例を示すブロック図である。図４によれば、画像形成装置１は、制御部１０、操作部１１、表示部１２、ＨＤＤ（Hard Disk Drive）１３、スキャナ部１７、画像処理部１８、プリンタ部１９、画像メモリ２０、ネットワーク部２１及びＩ／Ｆ部２２を備えて構成される。
【００５８】
制御部１０は、ＣＰＵ（Central Processing Unit）やＲＯＭ（Read Only Memory）、ＲＡＭ（Random Access Memory）１３等により構成され、画像形成装置１を構成する各機能部に対する指示や、当該機能部間のデータ通信等を制御する。より具体的には、ＣＰＵが操作部１１から出力される操作信号に基づいてＲＯＭからプログラムを読み出し、当該プログラムに従った処理を行う。そして、その処理結果をＲＡＭ１３に一時的に記憶したり、当該処理結果を表示するための表示データを表示部１２に出力して表示させる。
【００５９】
図４によれば、ＲＡＭ１３は、画像形成情報１４と後処理情報１５とを記憶する。画像形成情報１４は、画像形成する部数、ページ数、用紙方向や原稿サイズ、出力用紙、ズーム率等といった画像形成に関する情報である。後処理情報１５は、後処理を施す部数、ページ数、ステイプルやパンチ、紙折り等の後処理に関する情報である。これらの画像形成情報１４及び後処理情報１５それぞれは、ユーザ操作に従って設定される。尚、画像形成情報１４及び後処理情報１５は、ＪＤＦのデータ形式で生成することとするが、そのデータ形式には適宜公知技術を採用可能である。
【００６０】
操作部１１は、図１に示す操作入力キー３１０やタッチパネル等により構成され、押下されたキーに対応する押下信号や、タッチパネルを当接された位置に対応する位置信号等の操作信号を制御部１０に出力する。
【００６１】
表示部１２は、図１に示すディスプレイ３００に相当し、ＣＲＴやＬＣＤ等により構成され、制御部１０から出力される表示データに基づいて各種設定画面（例えば、図２の後処理設定画面３５０）や画像の状態表示、各機能の動作状況等を表示出力する。
【００６２】
制御部１０は、表示部１２に印刷設定画面（図示略）や後処理設定画面３５０を表示させ、操作部１１の操作によって選択・確定された設定内容を画像形成情報１４及び後処理情報１５として受け付けてＲＡＭ１３に記憶する。また、パソコン９の印刷設定画面９００において選択・確定された設定内容を通信回線網Ｎを介して受信して、画像形成情報１４及び後処理情報１５として受け付けてＲＡＭ１３に記憶する。
【００６３】
制御部１０は、後処理装置５がインライン方式で接続されていた場合に、後処理情報１５をＩ／Ｆ部２２を介して後処理装置５に送信すると共に、画像形成情報１４に応じて画像データに基づいた画像形成を行って排出する。このとき、後処理装置５と接続されていなかった場合、即ちオフラインであった場合は、後処理情報１５を２次元コードに変換（エンコード）して記録紙上に画像形成して、図９（ａ）に示すようなオフライン後処理指示書Ｐ１を作成して排出する。
【００６４】
尚、２次元コードのコード形式としては、ＱＲ（Quick Response）コード(ＱＲコードは（株）デンソーウェーブの登録商標)、ＰＤＦ４１７(ＰＤＦ４１７はシンボルテクノロジー社の登録商標)、ＤａｔａＭａｔｒｉｘコード(ＤａｔａＭａｔｒｉｘコードはデータマトリックス社の登録商標)、Ｍａｘｉコード(ＭａｘｉコードはＵＳＰ社の登録商標)等があり、適宜適用可能である。
【００６５】
ＨＤＤ１６は、画像データや画像形成情報１４、後処理情報１５等の各種データをハードディスクに蓄積記憶する機能部であり、ユーザにより選択されたデータを記憶する。
【００６６】
スキャナ部１７は、プラテンガラス、ＣＣＤ及び光源を備え、ＡＤＦ部３２０に載置された原稿に対して光源から照明走査した光の反射光をＣＣＤにより結像して光電変換することにより原稿の画像を読み取り、その画像の画像データを生成して画像処理部１８に出力する。
【００６７】
画像処理部１８は、制御部１０の指示に基づいて、スキャナ部１７から出力された画像データ、ＨＤＤ１６に記憶された画像データ、パソコン９から送信された画像データを圧縮して、画像メモリ２０の圧縮メモリに圧縮画像データとして書き込んで一時的に記憶させる。
【００６８】
制御部１０から画像データの読み出し指示があると、画像メモリ２０に記憶した圧縮画像データを伸長し、画像メモリ２０のページメモリに一旦記憶させる。そして、制御部１０から印刷出力が指示されると、画像処理部１８は、ページメモリから非圧縮の画像データをページ単位で読み出し、画像形成情報１４に基づいて画像データの拡縮や方向転換等の画像処理を行う。そして、その画像データに基づくＰＷＭ(Pulse Width Modulation)信号を生成し、プリンタ部１９に出力する。
【００６９】
プリンタ部１９は、ＬＤ（Laser Diode）、感光体ドラム、帯電器、現像器、転写部、定着器、記録紙を供給する給紙トレイ３３０、搬送経路に沿って記録紙を搬送する給紙ローラ等を備えて構成されている。
【００７０】
具体的にプリンタ部１９は、画像処理部１８の指示に基づいて、所定のサイズ及び方向の記録紙を給紙トレイ３３０の何れかから給紙して、当該記録紙を搬送経路上に搬送する。そして、感光体ドラム表面を帯電器により帯電させ、画像処理部１８から入力されたＰＷＭ信号に基づいてＬＤによって感光体ドラム表面にレーザ光を照射することにより静電潜像を形成し、感光体ドラム表面の静電潜像を含む領域に現像器によりトナーを付着させる。次いで、給紙トレイ３３０から搬送された転写紙に転写部がトナーを転写して画像を形成し、定着器で定着させた後、後処理装置５が連結・接続されたインライン方式の場合は、その後処理装置５に記録紙を排出し、オフラインの場合は排紙トレイ３４０へ排出する。
【００７１】
画像メモリ２０は、ＤＲＡＭ（Dynamic RAM）により構成され、圧縮された画像データを一時的に記憶する圧縮メモリと、印刷出力前にプリント出力対象の非圧縮の画像データを一時的に格納するページメモリとを有する。
【００７２】
ネットワーク部２１は、通信回線網Ｎを介してパソコン９等の外部機器とデータ通信するための機能部であり、モデムやＬＡＮインターフェイス、ＵＳＢ等により構成される。Ｉ／Ｆ部２２は、接続された後処理装置５とデータ通信するための機能部であり、シリアルインターフェイス等により構成される。
【００７３】
〔後処理装置の構成〕
次に、図５を用いて、後処理装置５の機能構成について説明する。図５は、後処理装置５の機能構成の一例を示すブロック図である。図５によれば、後処理装置５は、制御部５０、操作部５１、表示部５２、コード読取部５５、変換部５６、フィニッシャ制御部５７、ステイプルユニット５８、パンチユニット５９、折りユニット６０及びＩ／Ｆ部６１を備えて構成される。
【００７４】
制御部５０は、ＣＰＵやＲＯＭ、ＲＡＭ５３等により構成され、後処理装置５を構成する各機能部に対する指示や、当該機能部間のデータ通信等を制御する。より具体的には、ＣＰＵが操作部５１から出力される操作信号に基づいてＲＯＭからプログラムを読み出し、当該プログラムに従った処理を行う。そして、その処理結果をＲＡＭ５３に一時的に記憶したり、当該処理結果を表示するための表示データを表示部５２に出力して表示させる。
【００７５】
図５によれば、ＲＡＭ５３は、後処理情報５４を記憶する。後処理情報５４は、画像形成装置１側で記憶している後処理情報１５と同等のデータ形式の情報である。制御部５０は、後処理装置５がＩ／Ｆ部６１を介して画像形成装置１とインラインで接続されている場合、画像形成装置１から転送される後処理情報１５をＲＡＭ５３に記憶する。
【００７６】
操作部５１は、操作入力キーやタッチパネル等により構成され、押下されたキーに対応する押下信号や、タッチパネルを当接された位置に対応する位置信号等の操作信号を制御部５０に出力する。表示部５２は、図１に示すディスプレイ５００に相当し、ＣＲＴやＬＣＤ等により構成され、制御部５０から出力される表示データに基づいて各種設定画面、各機能の動作状況等を表示出力する。
【００７７】
また、画像形成装置１とオフラインの場合は、図２のような後処理設定画面を表示部５２に表示させて、ユーザの選択・確定操作に基づいて後処理情報５４を生成するが、大容量トレイユニット７４０に収納された記録紙に、画像形成装置１側で生成された後処理情報５４が２次元コードで画像形成されている場合は、その２次元コードを後述するコード読取部５５及び変換部５６によって取得する。
【００７８】
Ｉ／Ｆ部６１は、画像形成装置１とデータ通信するための機能部であり、シリアルインターフェイス等により構成される。
【００７９】
コード読取部５５は、ＣＣＤやＣＭＯＳ（Complementary Metal Oxide Semiconductor）センサ等の撮像素子を備えて構成され、大容量トレイユニット７４０に蓄積された記録紙の所定エリア（例えば、図９（ａ）のエリアＡＲ）内の光学像を露光・走査することで、当該コードを光学的に読み取って（光電変換して）、画像データを生成する。
【００８０】
変換部５６は、コード読取部５５によって生成された画像データ内に２次元コード特有の切り出しシンボル（図９（ａ）の切り出しシンボルＳ）を検出した場合は、２次元コードがあると判定して、画像データ内から２次元コードを抽出し、この２次元コードを所定の符号化方式に基づいて変換（デコード）して、後処理情報５４を取得する。
【００８１】
フィニッシャ制御部５７は、ＲＡＭ５３に記憶された後処理情報５４に基づいて、ステイプルユニット５８、パンチユニット５９及び折りユニット６０の制御を行い、画像形成装置１から搬送された記録紙や大容量トレイユニット７４０に収納された記録紙に後処理を行わせる。そして、その後処理後の記録紙を搬送して排紙トレイ７３０に排出する。  
【００８２】
ステイプルユニット５８は、画像形成装置１から搬送された記録紙や、大容量トレイユニット７４０に収納された記録紙を一旦スタッカに蓄えた後にステイプルを行って、複数の記録紙を綴じるステイプル処理を行う。ステイプルユニット５８は、記録紙の搬送方向と直交する方向に移動可能であり、フィニッシャ制御部５７の指示に基づいて、記録紙のサイズ及び指示に基づく綴じ位置に応じて移動制御され、記録紙の端部及び中央部にステイプル処理を行う。
【００８３】
パンチユニット５９は、画像形成装置１から搬送された記録紙や、大容量トレイユニット７４０に収納された記録紙を当該ユニット内で一旦停止させて、記録紙の端部にパンチ穴を開けるパンチ処理を行う。
【００８４】
折りユニット６０は、画像形成装置１から搬送された記録紙や、大容量トレイユニット７４０に収納された記録紙の束に対して、記録紙の搬送方向の中央部を折る中折り処理、３つ折り処理、Ｚ折り処理等の折り処理を行う。尚、裁断ユニットやのり付けユニットを設けて、裁断やのり付け等を行うこととしてもよく、後処理装置５が行う後処理は、適宜公知技術を採用可能である。
【００８５】
〔画像形成装置及び後処理装置の具体的な動作例〕
次に、図６及び７のフローチャートに従って画像形成装置１及び後処理装置５の具体的な動作例を図８及び９を適宜参照しながら説明する。
【００８６】
先ず、画像形成装置１の制御部１０は、ユーザによって操作部１１が操作された場合、その操作を受け付けて、当該操作に従った画像形成情報１４と後処理情報１５を生成しＲＡＭ１３に記憶する。また、パソコン９からの指示を受け付けて、画像形成情報１４及び後処理情報１５を生成してＲＡＭ１３に記憶する。そして、操作部１１からの操作信号又はパソコン９からの指示に基づいて印刷開始指示が入力された場合、後処理装置５がＩ／Ｆ部２２を介して接続されているか否かを判定する（ステップＡ１）。
【００８７】
制御部１０は、後処理装置５が接続されていない、即ちオフラインであると判定した場合（ステップＡ１；Ｙｅｓ）、図８（ａ）のような次動作指定画面３８０を表示部１２に表示させる。そして、この次動作指定画面３８０上のオフライン後処理ボタン３８２がユーザの操作部１１の操作によって選択されたことを検知した場合は（ステップＡ３；Ｙｅｓ）、後処理情報１５を変換して２次元コードを生成する（ステップＡ５）。
【００８８】
そして、その２次元コードと、後処理情報１５に基づいた画像データの印刷部数、ページ数及び後処理の方法の文字列とを記録紙上に画像形成して、図９（ａ）のようなオフライン後処理指示書Ｐ１として排出する（ステップＡ７）。制御部１０は、ステップＡ７の処理の後、画像データに基づいた画像形成を画像形成情報１４に応じて実行し、オフライン後処理指示書Ｐ１に続けて本体印刷物Ｐ２として排出する（ステップＡ９）。
【００８９】
例えば、後処理情報１５のページ数が“４ページ”、印刷する部数が“３部”、ステイプルが“１ヵ所左上”、パンチが“３ヵ所左”と設定されていた場合、図９（ａ）のオフライン後処理指示書Ｐ１のように後処理方法８１０を画像形成すると共に、当該後処理情報１５を符号化した２次元コードＣをオフライン後処理指示書Ｐ１の所定のエリアＡＲ内に画像形成する。そして、そのオフライン後処理指示書Ｐ１に続くように本体印刷物Ｐ２を排出する。
【００９０】
ステップＡ３において、次動作指定画面３８０のオフライン後処理ボタン３８２が選択されず（ステップＡ３；Ｎｏ）、後処理キャンセルボタン３８４が選択されたことを検知した場合は（ステップＡ１１；Ｙｅｓ）、ステップＡ９に処理を移行して、画像データに基づいた本文部分のみの画像形成を行う。また、ジョブキャンセルボタン３８６が選択されたことを検知した場合は（ステップＡ１１；Ｎｏ）、そのまま処理を終了する。
【００９１】
一方、後処理装置５の制御部５０は、先ず、Ｉ／Ｆ部６１を介して画像形成装置１が接続されているか否かを判定する（ステップＢ１）。そして、画像形成装置１が接続されている、即ちインラインである場合は（ステップＢ１；Ｎｏ）、画像形成装置１から転送される後処理情報５４を取得して、ＲＡＭ５３に記憶する。そして、当該後処理情報５４に基づいてフィニッシャであるステイプルユニット５８、パンチユニット５９折りユニット６０のリセットと設定とを行った後（ステップＢ２３）、フィニッシャの駆動制御と画像形成装置１から搬送される記録紙を通紙とを行って後処理を施す（ステップＢ２５）。
【００９２】
また、ステップＢ１において、画像形成装置１が接続されていない、即ちオフラインであると判定した場合（ステップＢ１；Ｙｅｓ）、ステップＢ３〜Ｂ１９の処理を記録紙一枚ずつに対して行う。
【００９３】
具体的には、大容量トレイユニット７４０に収納されている記録紙の所定エリアをコード読取部５５に指示して読み取り、変換部５６の出力結果からそのエリア内に２次元コードがあるか否かを判定する（ステップＢ５）。制御部５０は、所定エリア内に２次元コードがありと判定した場合（ステップＢ５；Ｙｅｓ）、変換部５６に指示して当該２次元コードを変換させて後処理情報５４を取得する（ステップＢ９）。そして、その後処理情報５４に基づいた後処理方法８０２を図８（ｂ）のように後処理確認画面８００として表示部５２に表示させる（ステップＢ９）。これにより、ユーザは、これからどのような後処理が行われるかを確認することができる。
【００９４】
制御部５０は、この後処理確認画面８００において続行ボタン８０４が選択されたことを検知した場合（ステップＢ１１；Ｙｅｓ）、後処理情報５４に基づいてフィニッシャのリセットと設定を行う（ステップＢ１５）。そして、フィニッシャの駆動制御と通紙とを行って後処理を施した後（ステップＢ１７）、大容量トレイユニット７４０に収納された記録紙束Ｐが終了したか否かを判定し（ステップＢ１９）、終了していなかった場合は（ステップＢ１９；Ｎｏ）、ステップＢ３に処理を移行する。
【００９５】
また、ステップＢ１１において、変更ボタン８０６が選択されたと検知した場合は（ステップＢ１１；Ｎｏ）、図２のような後処理設定画面を表示させ、ユーザの操作部５１の操作に応じて後処理情報５４を再設定した後（ステップＢ１３）、ステップＢ１５に処理を移行する。
【００９６】
例えば、図９（ａ）のオフライン後処理指示書Ｐ１のエリアＡＲをコード読取部５５によって読み取った場合、そのエリアＡＲ内に２次元コードＣが含まれているため、後処理装置５の制御部５０は、この２次元コードＣを変換して後処理情報５４を取得する。この後処理情報５４には、ページ数“４ページ”、印刷部数“３部”、ステイプル“１ヵ所左上”、パンチ“３ヵ所左”といった情報が含まれており、図８（ａ）の後処理確認画面８００が表示される。ユーザは、続行ボタン８０４を選択することで、そのまま後処理を開始させることができるが、所望のものでなかった場合は、ここでその後処理の方法を変更することができる。
【００９７】
後処理確認画面８００において続行ボタン８０４が選択された場合、フィニッシャ制御部５７は、ステイプルユニット５８を制御して、本体印刷物Ｐ２を４ページずつスタッカに蓄積して、左上の端部に１ヵ所のステイプルを行わせた後、パンチユニット５９を制御して、左側に３ヵ所のパンチ穴を開けさせる。このため、大容量トレイユニット７４０に収納した記録紙束Ｐが、図９（ｂ）に示すように、４ページの冊子Ｐ３〜Ｐ５が左上のステイプルと、３ヵ所のパンチとが施されて３部に分割されて排出されることとなる。
【００９８】
以上、本実施形態によれば、画像形成装置１は、後処理装置５がオフラインであった場合は、ユーザにより設定された後処理情報１５を２次元コードに変換して、記録紙上に画像形成する。一方、後処理装置５は、記録紙上に２次元コードが画像形成されていることを検出した場合は、この２次元コードから後処理情報５４を取得して当該後処理情報５４に基づいて後処理を行う。
【００９９】
従って、ユーザは、後処理装置５が画像形成装置１に接続されていなかったり、Ｉ／Ｆ部２２及び６１間の通信不良が生じたオフライン時に、画像形成装置１やパソコン９側で設定した後処理の方法わざわざメモしたり、後処理装置５側で手入力するといった煩雑な操作が行わなくてもよい。
【０１００】
また、例えば、後処理装置５の性能が画像形成装置１の性能よりも劣る場合、画像形成装置１で後処理の方法を設定しつつ大量印刷を行っておき、その印刷物を後処理装置５にセットすることで、画像形成装置１で設定した後処理方法で後処理が施される。この場合、後処理装置５が行う後処理に、画像形成装置１との性能の差異が影響しないため、画像形成と後処理の全体的な処理性能を高めることができる。
【０１０１】
〔変形例〕
尚、本発明の適用可能な範囲は上述した実施形態に限られず、適宜変更可能であり、次のようにしてもよい。例えば、後処理情報１５を２次元コードに符号化することとして説明したが、図１０に示すようなシステム構成によって、記憶装置を有する管理サーバ３で後処理情報１５を記憶管理し、その後処理情報１５が記憶されるアドレス（例えば、ＵＲＬ）を２次元コードに符号化することとしてもよい。この後処理情報１５が記憶されるアドレスも、本発明の後処理に関する後処理情報に相当する。
【０１０２】
図１０によれば、画像形成装置１ａと、後処理装置５ａ、管理サーバ３とが通信回線網Ｎ上に接続されて構成されている。尚、画像形成装置１ａ及び後処理装置５ａの機能構成は、上述した実施形態の画像形成装置１及び後処理装置５の機能構成と同等であるため、その詳細な説明は省略する。
【０１０３】
画像形成装置１ａは、後処理情報１５を管理サーバ３に送信すると共に、管理サーバ３が後処理情報１５を記憶するアドレスを２次元コードＣａに変換して画像形成する。管理サーバ３は、画像形成装置１ａから送信された後処理情報１５を所定のアドレスに記憶する。
【０１０４】
後処理装置５ａは、上述した実施形態と同様に、記録紙上の所定エリアを読み取って２次元コードがある場合は、その２次元コードを変換しアドレスを取得する。そして、通信回線網Ｎを介して管理サーバ３にアクセスして、取得したアドレスに基づいて後処理情報１５の取得要求を行う。後処理装置５ａは、管理サーバ３から後処理情報１５を取得すると、当該後処理情報１５に基づいて記録紙束Ｐに後処理を施す。
【０１０５】
このように、後処理情報１５管理サーバ３が記憶管理するため、符号化する情報は、管理サーバ３のアドレスのみでよい。このため、符号化する情報量を少なくすることができるため、１次元コードでも容易に実現することができるようになる。
【０１０６】
また、画像形成装置１は後処理情報１５を機械読取可能な情報の一例である２次元コードに変換して記録紙上に画像形成することとして説明したが、例えば、ＪＡＮ（Japan Article Number）やｃｏｄｅ３９、ＩＴＦ（Interleaved Two of Five）等のコード形式の１次元コード（バーコード）に変換することとしてもよい。
【０１０７】
また、後処理情報１５を文字列に変換して記録紙に画像形成して、オフライン後処理指示書Ｐ１を作成してもよい。この場合、後処理装置５では、ＣＣＤカメラやスキャナ等によりオフライン後処理指示書Ｐ１全面を光学的に読み取って、得られた画像にＯＣＲ（Optical Character Reader）等によって文字認識を行う。そして、その認識結果から後処理情報１５を取得することとなる。
【０１０８】
また、図１１のように無線ＩＣ（ＲＦＩＤ（Radio Frequency Identification））タグＴＧを有する記録紙を用いて、この無線ＩＣタグＴＧに後処理情報１５を記憶させて当該後処理情報１５を保持させることとしてもよい。この場合、電磁波（電力波）を送信して無線ＩＣタグＴＧを電磁誘導によって駆動し、当該無線ＩＣタグＴＧにデータの読み書きを行うＩＣリーダライタを画像形成装置１及び後処理装置５に設けることで実現可能である。これにより、後処理装置５は、無線ＩＣタグＴＧに記憶された後処理情報１５を電波通信によって読み取ることができるようになる。また、本体印刷物Ｐ２とは別のオフライン後処理指示書Ｐ１のような記録紙を作成する必要がなくなると共に、データ量の多い後処理情報１５の記憶も可能になる。
【図面の簡単な説明】
【０１０９】
【図１】画像形成装置及び後処理装置の概要を説明するための図。
【図２】後処理設定画面の表示例を示す図。
【図３】印刷設定画面の表示例を示す図。
【図４】画像形成装置の機能構成の一例を示すブロック図。
【図５】後処理装置の機能構成の一例を示すブロック図。
【図６】画像形成装置の処理動作を説明するためのフローチャート。
【図７】後処理装置の処理動作を説明するためのフローチャート。
【図８】（ａ）は次動作選択画面、（ｂ）は後処理確認画面の表示例を示す図。
【図９】（ａ）オフライン後処理指示書及び本体印刷物の例、（ｂ）は後処理装置から排出された冊子の例を示す図。
【図１０】変形例における記録紙の一例を示す図。
【図１１】変形例における画像形成装置、後処理装置及び管理サーバのシステム構成の一例を示す図。
【符号の説明】
【０１１０】
Ｃ      ２次元コード
Ｐ      記録紙束
Ｐ１    オフライン後処理指示書
Ｐ２    本体印刷物
１      画像形成装置
１０    制御部
１１    操作部
１２    表示部
１３    ＲＡＭ
１４    画像形成情報
１５    後処理情報
１７    スキャナ部
１８    画像処理部
１９    プリンタ部
２０    画像メモリ
２２    Ｉ／Ｆ部
５      後処理装置
５０    制御部
５１    操作部
５２    表示部
５３    ＲＡＭ
５４    後処理情報
５５    コード読取部
５６    変換部
５７    フィニッシャ制御部
５８    ステイプルユニット
５９    パンチユニット
６０    折りユニット
６１    Ｉ／Ｆ部
７４０  大容量トレイユニット
３      管理サーバ
９      パソコン
【図１】
2007127774.tif 000003
【図２】
2007127774.tif 000004
【図３】
2007127774.tif 000005
【図４】
2007127774.tif 000006
【図５】
2007127774.tif 000007
【図６】
2007127774.tif 000008
【図７】
2007127774.tif 000009
【図８】
2007127774.tif 000010
【図９】
2007127774.tif 000011
【図１０】
2007127774.tif 000012
【図１１】
2007127774.tif 000013